(57)【特許請求の範囲】
【請求項１】
ハウジング（Ｇ）と、電気駆動機構と、組み合わせにより切れ刃（Ｓ）を形成する互いに協働するカッター刃からなる少くなくとも１つのカッターアセンブリ（Ｋ、ＬＳ）と、複数の櫛歯（２３）により形成され且つ前記切れ刃（Ｓ）に関連される少なくとも１つの係合面（７０、８０、９０、１００）を有するスペーサ櫛（１２）とを有するドライシェービング装置又はヘアーカッティング装置であって、切れ刃（Ｓ）に対する相対距離が前記係合面（７０、８０、９０、１００）を偏位させることにより調節可能となっているものにおいて、前記係合面（７０、８０、９０、１００）が、前記切れ刃（Ｓ）に対して水平方向ｘに且つ同時に垂直方向ｙに均一に移動可能であることを特徴とする、ドライシェービング装置又はヘアーカッティング装置。
【請求項２】
前記係合面（９０）を略二等分に分ける垂線（Ｌ）が前記切れ刃（Ｓ）を通過し、前記係合面（９０）は実質的に前記垂線（Ｌ）の方向に偏位自在であることを特徴とする、請求項１に記載のドライシェービング装置又はヘアーカッティング装置。
【請求項３】
前記係合面（７０、８０）は、それらの二等分線（Ｚ）に実質的に沿って摺動自在であることを特徴とする、請求項１〜２のいずれか１項に記載のドライシェービング装置又はヘアーカッティング装置。
【請求項４】
前記係合面（１００）は円筒形の包絡面により形成されていることを特徴とする、請求項１又は２に記載のドライシェービング装置又はヘアーカッティング装置。
【請求項５】
前記切れ刃（Ｓ）に対する係合面（７０、８０、９０、１００）の相対距離は連続的に可変であることを特徴とする、請求項１〜４のいずれか１項に記載のドライシェービング装置又はヘアーカッティング装置。
【請求項６】
前記切れ刃（Ｓ）に対する係合面（７０、８０、９０、１００）の相対距離は段階的に可変であることを特徴とする、請求項１〜４のいずれか１項に記載のドライシェービング装置又はヘアーカッティング装置。
【請求項７】
前記係合面（７０、８０、９０、１００）は円弧状であることを特徴とする、請求項１〜６のいずれか１項に記載のドライシェービング装置又はヘアーカッティング装置。
【請求項８】
前記係合面（７０、８０）はＬ字状であることを特徴とする、請求項１〜７のいずれか１項に記載のドライシェービング装置又はヘアーカッティング装置。
【請求項９】
前記係合面（９０）は平面状であることを特徴とする、請求項１〜８のいずれか１項に記載のドライシェービング装置又はヘアーカッティング装置。
【請求項１０】
前記係合面（７０、８０、９０、１００）の間隔は制御装置により調節可能であることを特徴とする、請求項１〜９のいずれか１項に記載のドライシェービング装置又はヘアーカッティング装置。
【請求項１１】
前記制御装置は、スペーサ櫛（１２）とそれに関連した操作部材（２２）との構成要素により形成されていることを特徴とする、請求項１〜１０のいずれか１項に記載のドライシェービング装置又はヘアーカッティング装置。
【請求項１２】
前記スペーサ櫛（１２）は、ハウジング（１８）と、前記櫛歯（２３）、前記操作部材（２２）、戻り止め部材及び制御部材を組み込んだ移動自在に取り付けられた櫛アタッチメント（２１）とから形成されていることを特徴とする、請求項１〜１１のいずれか１項に記載のドライシェービング装置又はヘアーカッティング装置。
【請求項１３】
前記制御部材は、前記垂直方向Ｙに対して斜めに且つ前記水平方向Ｘに対して斜めに延びた制御溝（４２、４３、４６、４６、５５）と、該制御溝（４２、４３、４６、４６、５５）内に摺動自在に案内される制御カム（４０、４１、４４、４５、４６）とからなることを特徴とする、請求項１〜１２のいずれか１項に記載のドライシェービング装置又はヘアーカッティング装置。
【請求項１４】
斜めに延びた制御溝（５５）が前記櫛アタッチメント（２１）のフロントパネル内に設けられており、前記制御溝（５５）内に係合する制御カム（５６）が前記操作部材（２２）に設けられていることを特徴とする、請求項１〜１３のいずれか１項に記載のドライシェービング装置又はヘアーカッティング装置。
【請求項１５】
互いに対して斜めに延びた前記制御溝（４２、４３）内に係合するための２つの制御カム（４０、４１）が前記櫛アタッチメント（２１）の幅狭の側壁に設けられていることを特徴とする、請求項１〜１４のいずれか１項に記載のドライシェービング装置又はヘアーカッティング装置。
【請求項１６】
斜めに延びた制御溝（４２、４３）が、前記ハウジング（１８）内に挿入可能な制御板（３３）の幅狭の対向する側壁に設けられていることを特徴とする、請求項１〜１５のいずれか１項に記載のドライシェービング装置又はヘアーカッティング装置。
【請求項１７】
前記制御板（３３）は、前記操作部材（２２）に設けられた制御カム（５３）と係合するための水平方向に延びたスロット（矢印Ｂの方向）（５４）を有することを特徴とする、請求項１〜１６のいずれか１項に記載のドライシェービング装置又はヘアーカッティング装置。
【請求項１８】
前記制御板（３３）と前記操作部材（２２）とには、協働する戻り止め部材（４８、４９、５０、５１、５２）が設けられていることを特徴とする、請求項１〜１７のいずれか１項に記載のドライシェービング装置又はヘアーカッティング装置。
【請求項１９】
前記制御板（３３）上の前記戻り止め部材（４８、４９）はノッチ（５７、５８、５９）として形成されていることを特徴とする、請求項１〜１８のいずれか１項に記載のドライシェービング装置又はヘアーカッティング装置。
【請求項２０】
前記制御板（２２）上の前記戻り止め部材は、戻り止めノーズ（５１、５２）が設けられた弾性弓形部（５０）から形成されていることを特徴とする、請求項１〜１９のいずれか１項に記載のドライシェービング装置又はヘアーカッティング装置。
【請求項２１】
ガード部材（１７）が前記スペーサ櫛（１２）と一体に形成されていることを特徴とする、請求項１〜２０のいずれか１項に記載のドライシェービング装置又はヘアーカッティング装置。
【請求項２２】
前記櫛歯（２３）のそれぞれの外壁により形成された前記係合面（７０、８０、９０、１００）の少なくとも１つは歯（２４、２５）として形成されることを特徴とする、請求項１〜２１のいずれか１項に記載のドライシェービング装置又はヘアーカッティング装置。
【請求項２３】
前記櫛歯（２３）のそれぞれは前記係合面（７０、８０、９０、１００）の境界を形成する少なくとも１つの歯（２４、２５）を有することを特徴とする、請求項１〜２２のいずれか１項に記載のドライシェービング装置又はヘアーカッティング装置。
【請求項２４】
前記スペーサ櫛（１２）は２列の櫛歯（２３、２６）を有することを特徴とする、請求項１〜２３のいずれか１項に記載のドライシェービング装置又はヘアーカッティング装置。
【請求項２５】
前記２列の平行な櫛歯（２３、２６）の一方は、Ｘ方向及びＹ方向の両方向に調節可能であることを特徴とする、請求項２４に記載のドライシェービング装置又はヘアーカッティング装置。
【発明の詳細な説明】
本発明は、ハウジングと、電気駆動機構と、組み合わせにより切れ刃を形成する複数の協働カッター刃からなる少なくとも１つのカッターアセンブリと、切れ刃に関連される少なくとも１つの係合面を有するスペーサ櫛とを備えるドライシェービング装置ないしはヘアーカッティング装置に関する。なお、スペーサ櫛は、複数の櫛歯により形成され、切れ刃までの相対距離が係合面或いは係合線を偏位ないしは移動させることにより調節可能である、
複数の協働カッター刃からなるカッターアセンブリと、装置ハウジング上に摺動自在に配設されたスペーサ櫛とを有するヘアーカッティング装置がDA 34 41 060 A1により公知となっている。スペーサ櫛は、筒状部分と、櫛歯とから構成されている。櫛歯は、筒状部分と一体に形成され、カッターアセンブリの固定刃の平面に略平行な脚部を有している。脚部は、櫛歯の上方の脚部と共に鋭角をなすと共に、それらと協働して切れ刃と平行な先端縁部を形成している。刃の下面に平行に延びた櫛歯は所謂係合面を提供し、カッターアセンブリの櫛歯の上方脚部に対する相対距離を変化させずに維持したまま、スペーサ櫛を移動することにより上記係合面のカッターアセンブリに対する相対距離を変化させて種々の位置にロックすることができる。
種々の位置に固定係合させるべく摺動自在に設けられたスペーサ櫛を有するヘアーカッティング装置が特開昭62-246397号公報により公知となっている。スペーサ櫛は、筒状部分と、櫛歯が形成され且つヘアーカッティング装置のカッターアセンブリを包囲する連続的な第２部分とからなる。櫛歯が形成されたこの第２部分は、カッターアセンブリの固定刃に平行に指向した櫛歯が同様に形成された後方部分に向けて鋭角に延びている。両部分はヘアーカットのための係合面として使用するのに適している。しかし、この公知のヘアーカッティング装置では、ヘアーカッティング装置の切れ刃の第１部分との相対距離は第２部分との距離よりも大きく設定されている。その結果、スペーサ櫛をある設定位置から別の設定位置に移動させると、ある係合面と別の係合面とでカッターアセンブリの切れ刃までの相対距離が違ってしまう。
スペーサ櫛をヘアーカッティング装置のハウジングに設けられた第１或いは第２プッシュオン位置に嵌合することにより、スペーサ櫛の角度をなして延びた２つの係合面の、カッターアセンブリの切れ刃に対する相対距離を変更すること、及び、切れ刃を通って延びる空間軸線に沿って所望の距離が設定されることが米国特許第4,125,940号明細書により公知となっている。
本発明の目的は、頭皮に対してスペーサ櫛が調節されるいかなる設定及び係合位置でも使用者の頭の髪の毛を均一の長さにカットできるように、ドライシェービング装置或いはヘアーカッティング装置を改良することである。
本発明によれば、この目的は請求の範囲の請求項１の特徴部分に示される特徴を有する装置により達成される。
請求の範囲の請求項１に開示された解決手段を具現化する本発明により、１つ或いは幾つかの係合面を有するスペーサ櫛の使用が可能となり、髪の毛をカットするためにドライシェービング装置或いはヘアーカッティング装置に設けられた係合面を何れかのカット長さに設定することにより、スペーサ櫛が使用者の頭皮上を案内される際の、頭皮に対するスペーサ櫛の特定の位置に関係なく、髪の毛を設定されたカット長さで均一にカットすることができる。
本発明の好適な実施態様では、スペーサの初期位置において、切れ刃に対する各係合面の相対距離は同じである。この実施態様の本質的な利点は、装置を最初の作動状態に設定して直ぐに使用者に極端なショートカット、また同時に均一な長さのカットを可能にさせることである。
スペーサ櫛が少なくとも２つの係合面を有する本発明の実施態様では、係合面は二等分線に略沿って摺動自在である。これにより、複数の異なるカット長さが可能になると共に、特定のカット長さに調節或いは事前に設定することにより、使用者が均一の長さでヘアーカットを行うことを確実にする。所定の設定によっては、１日、或いは数日、例えば４日や５日間伸びたままの顎髭をこの様にして均一長さにカットすることができる。
本発明の好適な実施態様では、係合面は円筒体の外面（包絡面）により形成される。
本発明の好適な実施態様では、切れ刃に対する係合面の相対距離は連続的に可変である。この実施態様の別の側面によれば、切れ刃に対する係合面の相対距離は段階的に可変である。本発明の非常に簡単且つ効果的な実施態様は、係合面が円弧状であることを特徴とする。別の実施態様では、係合面がＬ字状であることを特徴とする。更に別の実施態様では、係合面は平面状であることを特徴とする。
本発明の好適な実施態様では、係合面の間隔は制御装置により調節可能である。本発明の好適な実施態様によれば、制御装置による係合面の間隔の変更は、単に、スペーサ櫛の構成要素あるいはそれと関連した操作部材からなる制御装置を形成することで達成される。この実施態様のさらなる側面によれば、スペーサ櫛は、ハウジングと、櫛歯、操作部材、戻り止め部材及び制御部材を組み込んだ移動自在に取り付けられた櫛アタッチメントとから形成される。このスペーサ櫛は、例えばシェーバー或いはヘアーカッターのための付属品として設計されるが、これをシェーバー或いはヘアーカッターの構成部品として設計しても良い。
切れ刃に対する１つ或いは幾つかの係合面の相対距離を比較的簡単な方法で均一化するために、スペーサ櫛に備わっている制御部材は、垂直方向Ｙに対して斜めに、また水平方向Ｘに対して斜めに延びた制御溝と、これらの制御溝内に摺動自在に案内される制御カムとからなる。係合面の切れ刃に対する相対距離を変えるために、斜めに延びた制御溝は櫛アタッチメントのフロントパネル内に設けられ、この制御溝内に係合する制御カムは操作部材に設けられる。同時に切れ刃に対する１つ或い制御溝内に係合するための２つの制御カムが櫛アタッチメントの好ましくは、幅狭の側壁に設けられる。この実施態様のさらなる側面によれば、斜めに延びた制御溝は、ハウジング内に挿入可能な制御板の幅狭の対向する側壁に設けられる。
操作部材を確実に案内するために、制御板は、操作部材に設けられた制御カムと係合するための水平方向に延びたスロットを有する。制御板及び操作部材に協働する戻り止め部材を設けることにより、スペーサ櫛の櫛歯を切れ刃に対して異なる相対距離に非常に簡単な方法で位置決めすることができる。制御板上の協働戻り止め部材をノッチとして形成するのが好ましい。また、制御板上の協働戻り止め部材は戻り止めノーズが設けられた弾性弓形部より形成しても良い。本発明により得られる更なる利点は、スペーサ櫛をロングヘアートリマーのためのガード部材として使用するのにも同時に適していること、且つ、スペーサ櫛にはドライシェービング装置のショートヘアーカッターのためのガード部材が一体に形成されていることである。
本発明の更に重要な利点は、櫛歯のそれぞれの係合面により形成された係合面の少なくとも一端が歯として形成されることである。本発明のこの手段によれば、髪の毛、特に交差した髪の毛を、カッター刃の切れ刃により切断するために、櫛歯の歯ないしは歯先（ｔｅｅｔｈ）の２つの先端により切断領域内に引き込むことができる。本発明の好適な実施態様によれば、各櫛歯は係合面の境界を形成する少なくとも１つの歯ないしは歯先を有する。
スペーサ櫛は２列の櫛歯を有するのが好ましい。この実施態様の更に別の側面によれば、２列の平行な櫛歯の一方は、Ｘ方向及びＹ方向の両方向に調節可能である。
本発明の実施形態について以下に説明すると共に添付図面に図示する。
図１は、ショートヘアカッターＫと、矢印Ａの方向及びその反対方向に垂直に摺動自在なロングヘアートリマーＬＳとを有するドライシェービング装置の側面図である。
図２は、ドライシェービング装置の正面図であり、当該ドライシェービング装置に取り付けられたスペーサ櫛と、ドライシェービング装置及びスペーサ櫛のための操作部材とを示す図である。
図３は、ドライシェービング装置のショートヘアカッターをガードするためのガード部材が一体に形成されたスペーサ櫛の斜視図である。
図４は、図３のスペーサ櫛の構成要素を示す分解図である。
図５は、カッターアセンブリの切れ刃に対する係合面の相対距離を変えるための制御部材と戻り止め部材とを有する、図２〜図４のスペーサ櫛の正面図である。
図６は、切れ刃に対して係合面を均一に且つ同時に調整するための制御部材を有する、図５のスペーサ櫛の側面図である。
図７は、ドライシェービング装置の上部を示す図であり、ドライシェービング装置に着座したスペーサ櫛、ロングヘアートリマーの領域の開口部、及び切れ刃に対応するＬ字状に形成された係合面を示す図である。
図８は、ドライシェービング装置の上部を示す図であり、ドライシェービング装置に着座したスペーサ櫛、切れ刃の領域の開口部、及び平坦な係合面を示す図である。
図９は、ドライシェービング装置の上部を示す図であり、ドライシェービング装置に着座したスペーサ櫛、切れ刃の領域の開口部、及び切れ刃に対応する円弧状の係合面を示す図である。
図面の図１を参照すると、電気ドライシェービング装置の側面図が示されており、このドライシェービング装置は、ショートヘアーカッターＫと、ロングヘアーカッターＬＳと、第１ハウジングシェル１及び第２ハウジングシェル２からなり電気的及び機械的駆動要素を収容するハウジングＧとを備えている。第１ハウジングシェル１は、ショートヘアーカッターＫのための電気的及び機械的駆動機構（図示せず）を収容しいている。第１ハウジングシェル１に結合された第２ハウジングシェル２は、種々の位置に調節可能なロングヘアートリマーＬＳと（図２参照）、ドライシェービング装置をオン・オフ操作するための操作部材３と、操作部材３をオフ位置にロックするための操作部材４と、ロングヘアートリマーＬＳを作動状態にセットしてそれを少なくとも１つのカッティング位置、例えばショートヘアーカッターＫのコーナーの高さの位置に調整する操作部材５とを内部に収容している。第２ハウジングシェル２の互いに対向する幅狭の側壁７及び９、及びロングヘアートリマーＬＳのカッター刃を備えたロングヘアースライド１３の互いに対向する幅狭の側壁６及び８は、それぞれ斜めに延びた段付きショルダ１０及び１１を備え、これにより、スペーサ櫛１２がドライシェービング装置のハウジングＧ上の適所に固定させるべく、ロングヘアートリマーＬＳが低い開始位置からショートヘアーカッターＫの外輪郭の高さの最も高い位置まで移動する際に、対応する戻り止め開口部１４がスペーサ櫛１２の内側に設けられた戻り止め部材１５及び１６に固定係合するよう形成される。
図３は、ドライシェービング装置のショートヘアーカッターＫをガードするためのガード部材１７が一体に形成されたスペーサ櫛１２のハウジング１８を示している。ハウジング１８のそれぞれの幅狭の側壁には、ドライシェービング装置のハウジングＧに対するスペーサ櫛１２の着脱を容易にするために、グリップ部材１９及び２０（図２参照）が形成されている。スペーサ櫛１２のフロントパネルは、水平、即ち矢印Ｂの方向とその逆方向に移動可能な操作部材２２により、同時に異なる２つの方向に摺動することができるよう構成された櫛アタッチメント２１として構成されている。操作部材２２から離れた側の櫛アタッチメント２１の端部には幾つかの櫛歯２３が設けられている。櫛歯２３の端部には少なくとも２方向に作動する歯ないしは歯先（ｔｅｅｔｈ）２４及び２５が設けられている。櫛歯２３、或いはそれに設けられた歯先２４及び２５と平行に、別の１列の櫛歯２６がハウジング１８の上壁に形成されており、これらはドライシェービング装置のハウジングＧに取り付けられたスペーサ櫛１２と共にロングヘアートリマーＬＳ、特にその切れ刃Ｓに対して一定の距離だけ離れている。
図４はスペーサ櫛１２の内部の斜視図である。ガード部材１７を備えたハウジング１８は櫛アタッチメント２１を受容するための開口部３０を有し、また、櫛アタッチメント２１に連結される制御板３３を、当該制御板３３に設けられた案内レール３４及び３５により案内するための凹部３１及び３２を有している。凹部３１及び３２のストリップ型の壁要素３６及び３７には、櫛アタッチメント２１の幅狭の側壁に形成された制御カム４０及び４１を制御板３３内に形成された制御溝４２及び４３に挿入して連結するための開口部３８及び３９が設けられている（図５及び図６参照）。櫛アタッチメント２１の、櫛歯２３から離れた側の端部で、櫛アタッチメントの幅狭の側壁から制御カム４４及び４５がそれぞれ延びており、これらカムは、櫛アタッチメント２１が制御板３３に連結された後に、案内レール３４及び３５内に設けられた制御溝４６及び４７内に摺動可能となる。
制御板３３の内部には、弾性弓形部５０に配置された戻り止めノーズ５１及び５２に係合する幾つかのノッチを有する２つの戻り止め部材４８及び４９が形成されている。弾性弓形部５０は操作部材２２の構成部品であるか、或いはそれに固定されている。操作部材２２は制御カム５３を更に有し、この制御カム５３は、操作部材２２が制御板３３に連結されると、操作部材２２を案内すべく、制御板３３の長手方向と直交する方向に延出した細長いスロット５４に係合される。操作部材２２の弓形部５０には更に別の制御カム５６が設けられている。操作部材２２、制御板３３及び櫛アタッチメント２１がハウジング１８内に組み込まれた状態にある場合、制御カム５６は、櫛アタッチメント２１に形成され且つこの櫛アタッチメント２１の長手方向に対して斜めに延びる制御溝５５内に係合し、これにより、操作部材２２を図３の矢印Ｂの方向及びその反対方向に移動させた場合、櫛アタッチメント２１は図１の矢印Ａの方向及びその反対方向に移動することができる。
図５は、ハウジング１８と、その内部に摺動自在に取り付けられた櫛アタッチメント２１と、操作部材２２と、制御板３３とを有するスペーサ櫛１２のフロントパネルを示している。櫛アタッチメント２１を偏位させたり図４の固定位置に保持するために必要な更なる機能上の要素は、スペーサ櫛１２の内部及びハウジング１８の壁要素内に設けられているか、実質的に一体に形成されているかしているため、これらは図５及び図６に破線で示されている。操作部材２２及び櫛歯２３の付いたスペーサ櫛１２は、以下図６乃至図１０を参照して詳述するように、２つの協働するカッタ刃により形成される切れ刃に対する櫛歯２３上の歯先の外方係合面の最も広い間隔により決定される位置にあるところが、示されている。この位置にある操作部材２２により、戻り止めノーズ５１及び５２は戻り止め部材４８及び４９のノッチ５７に係合されている。操作部材２２に設けられた制御カム５３は制御板３３内に設けられたスロット５４に係合しており、一方、弓形部５０に一体に形成された制御カム５６は櫛アタッチメント２１内の斜めに延出した制御溝５５に係合している。櫛アタッチメント２１に形成された制御カム４０及び４１は垂直方向、即ち矢印Ａの方向に対して斜めに延出した制御溝４２及び４３に係合している。櫛アタッチメント２１の下端に形成された制御カム４４及び４５は垂直に延出した制御溝４６及び４７に係合している。
操作部材２２を移動させることにより、弾性弓形部５０上の戻り止めノーズ５１及び５２は、ノッチ５７、５８及び５９の何れか１つ、例えばノッチ５７内に移動される。この戻り止め位置において、櫛アタッチメント２１は例えば図６に示される位置を占有する。操作部材２２が矢印Ｂの方向に移動する間、操作部材２２は制御カム５３によりスロット５４内を案内される。同時に、制御カム５６は櫛アタッチメント２１の制御溝５５の斜めに延びた側壁に作用し、櫛アタッチメント２１を矢印Ａ方向とは反対の垂直方向に移動させる。
櫛アタッチメント２１の図６における座標軸Ｘ及びＹへの移動の制御は、垂直な矢印Ａ方向に延びた制御溝４６及び４７内の制御カム４４及び４５の摺動運動によってだけでなく、制御板３３内に形成されて垂直な矢印Ａ方向に対して斜めに延びた制御溝４２及び４３によっても行われる。制御溝４２及び４３内では、櫛アタッチメント２１が制御カム４０及び４１により摺動案内される。図６乃至図９にそれぞれ示される座標のＸ及びＹ軸に対する制御溝４２及び４３の斜めの延長線は、幾何学的形状がそれぞれ異なる櫛アタッチメント２１の係合面７０、８０、９０及び１００の間隔がＸ軸及びＹ軸方向に均一的に変化するように向けられている。
図６のスペーサ櫛１２の実施形態は、歯先２６が設けられた櫛歯２３を有する櫛アタッチメント２１を示している。使用者の皮膚に接する歯先２６の外面は、例えば円筒形の外面部分を形成する円の円弧状に形成されている。従って、座標軸Ｘ及びＹの交差点に対する係合面１００の相対距離は同じである。座標軸Ｘ及びＹの交差点は、ロングヘアートリマーＬＳとして知られる切り歯を備えた２つの協働するカッタ刃の切れ刃Ｓにより決定される。
図７乃至図９の実施形態は、皮膚接触面７０、８０、９０及び１００の部分における櫛歯２３の幾何学的形状だけが図６の実施形態と異なる。カッター櫛及びカッター刃からなるロングヘアートリマーＬＳの切れ刃Ｓに対しての図７の係合面７０及び８０、図８の係合面９０又は図９の係合面１００の相対距離は、係合面９０或いは係合面７０、８０又は１００と切れ刃Ｓとの最短距離により規定される初期位置において同じである。図７の実施形態において、スペーサ櫛１２の櫛歯２３は、例えば、Ｌ字状に直角をなすよう設けられた２つの係合面７０及び８０を有する。両係合面７０及び８０の切れ刃Ｓに対する相対距離が変化しても、両係合面７０及び８０の距離を一定に保つために、これら両係合面７０及び８０は座標軸Ｚにより示される二等分線にほぼ沿って偏位可能にされている。係合面７０及び８０が互いに直角をなしている状態で、この二等分線は４５度をなす。係合面７０及び８０が互いに鋭角或いは鈍角をなしている状態で二等分線は決定されて、この二等分線の延出方向に従って櫛アタッチメント２１が偏位される。これは、制御溝４２及び４３を、二等分線の延出方向に一致するよう、制御板３３の方向に斜めに延出させることにより確実なものとされる。
図８は、座標系のＸ及びＹ軸に対して、切れ刃Ｓに斜めに指向した係合面９０の実施形態を示す。切れ刃Ｓに対する係合面９０の相対距離が変化しても両者間の距離を一定に保つため、該係合面９０を二等分する垂直線Ｌが切れ刃Ｓを通過して係合面９０が垂直線Ｌの方向に移動するように櫛歯上の係合面９０を位置決めしなければならない。垂直線Ｌ方向への係合面９０の移動は、座標軸Ｘ及びＹに対する制御溝４２及び４３の対応する角度の延長線により制御可能である（図６参照）。
図９の実施形態において、皮膚面に接する櫛歯の領域は、例えば、実質的に半円形のカッター刃により形成される切れ刃Ｓを包囲する円筒形の外面（包絡面）のように形成される。円筒状の包絡面は係合面１００を形成する。係合面１００と切れ刃Ｓとの相対距離は円筒形包絡面の半径に対応する。この実施形態では、円筒形包絡面は、髪の毛を均一な長さに切るために、座標軸Ｘ及びＹより形成される座標系の二等分線により決定される方向の座標軸Ｚに沿って移動される。
【図１】
0003926389.tif 000002
【図２】
0003926389.tif 000003
【図３】
0003926389.tif 000004
【図４】
0003926389.tif 000005
【図５】
0003926389.tif 000006
【図６】
0003926389.tif 000007
【図７】
0003926389.tif 000008
【図８】
0003926389.tif 000009
【図９】
0003926389.tif 000010